(57)【要約】      （修正有）【課題】台板、脚板、縦杆などの構成部材がワンタッチ式に取り付け・取り外しできるようにして組立・分解作業が簡単となり作業能率が極めて良い行灯を提供する。【解決手段】水平に配置される台板１、該台板１の下面１ｂに連結される脚板２、台板１の上面１ａに立設される縦杆３などの構成部材がそれぞれ着脱自在に設けられる。連結される一方の構成部材に取付用穴を凹設すると共に他方の構成部材に取付用穴に挿入する嵌入突起１３を設け、取付用穴の底面と嵌入突起１３の先端面１３ａにそれぞれ互いに吸着する磁石１４を固着し、取付用穴に嵌入突起１３を挿入することにより両磁石１４が吸着され互いの構成部材が連結される。【選択図】図２
0003161272.tif 000002
【実用新案登録請求の範囲】
【請求項１】
水平に配置される台板、前記台板の下面に連結される脚板、前記台板の上面に立設される縦杆などの構成部材がそれぞれ着脱自在に設けられるようにした行灯であって、
連結される前記一方の構成部材に取付用穴を凹設すると共に他方の構成部材に該取付用穴に挿入する嵌入突起を設け、前記取付用穴の底面と前記嵌入突起の先端面とにそれぞれ互いに吸着する磁石を固着し、前記取付用穴に前記嵌入突起を挿入することにより前記両磁石が吸着され互いの構成部材が連結されるようにしたことを特徴とする行灯。
【考案の詳細な説明】
【技術分野】
【０００１】
本考案は、組立および分解が簡単な行灯に関するものである。
【背景技術】
【０００２】
従来、例えばお盆などの葬祭の儀式に飾って使用される行灯として次に示すものがある。すなわち、該行灯は、台板と、該台板の下面に連結される３本の脚板と、前記台板の上面に連結して立設される二本の平行な縦杆と、該縦杆に嵌着され吊り下げられる火袋と、縦杆の上端部に取着される雲手と、から概ね構成されている。ここで、前記台板と脚板との連結構造を更に詳しく説明すると、台板の上面にナット穴を刳り抜き、該ナット穴内にツバ付ナットを収容すると共に該ツバ付ナットが該ナット穴から出ないように該ナット穴にナット止め具を挿入し、該ナット穴に対応して台板下面に開設した孔に脚板上端のねじ棒を挿通し、該ねじ棒を前記ツバ付ナットに螺合する。このようにして、台板に脚板を連結している。他の二本の脚板と台板との連結構造、台板とその上面に立設される縦杆との連結構造も前記と同じ構造である（例えば、特許文献１参照。）。
【先行技術文献】
【特許文献】
【０００３】
【特許文献１】実用新案登録第３０８２２６４号公報（第５−６頁、図１乃至３）
【考案の概要】
【考案が解決しようとする課題】
【０００４】
しかしながら、前記特許文献１の行灯にあっては、台板に対して複数の脚板や縦杆を連結するに、台板の上面や下面にナット穴を刳り抜くと共に該ナット穴内にナット止め具によりツバ付ナットを該ナット穴から出ないようにして収容し、該ツバ付ナットに複数の脚板や縦杆の端部に設けられたねじ棒を螺合して締め付け、これら脚板や縦杆を台板に連結して行灯を組み立てるようにしているため、ナット締め作業が多く面倒であって時間も掛かることになり、その組立作業や分解作業が簡単に行なえず作業能率が悪いという課題があった。
【０００５】
そこで、本考案は上記課題に鑑みてなされたもので、台板、脚板、縦杆などの構成部材がワンタッチ式に取り付け・取り外しできるようにして組立・分解作業が簡単に行なえ作業能率が極めて良い行灯を提供することを目的とするものである。
【課題を解決するための手段】
【０００６】
かかる目的を達成するため、本考案に係る行灯は、水平に配置される台板、前記台板の下面に連結される脚板、前記台板の上面に立設される縦杆などの構成部材がそれぞれ着脱自在に設けられるようにした行灯であって、連結される前記一方の構成部材に取付用穴を凹設すると共に他方の構成部材に該取付用穴に挿入する嵌入突起を設け、前記取付用穴の底面と前記嵌入突起の先端面とにそれぞれ互いに吸着する磁石を固着し、前記取付用穴に前記嵌入突起を挿入することにより前記両磁石が吸着され互いの構成部材が連結されるようにしたことを特徴とする。
【考案の効果】
【０００７】
本考案に係る行灯では、水平に配置される台板、該台板の下面に連結される脚板、前記台板の上面に立設される縦杆などの構成部材であって、連結される一方の構成部材に取付用穴を凹設すると共に他方の構成部材に該取付用穴に挿入する嵌入突起を設け、取付用穴の底面と嵌入突起の先端面とにそれぞれ互いに吸着する磁石を固着し、取付用穴に嵌入突起を挿入することにより両磁石が吸着され互いの構成部材を連結するようにしたので、構成部材の取り付け・取り外しがワンタッチ式に行なえ、多くのネジ止めをするといった面倒な作業が不要となり、行灯の組立・分解作業が簡単となって作業能率が極めて良いという効果を有する。
【図面の簡単な説明】
【０００８】
【図１】本考案に係る行灯の斜視図。
【図２】同火袋を除いた分解斜視図。
【図３】（イ）は台板の平面図、（ロ）は台板の底面図。
【図４】（イ）は台板と脚板との連結構造を示す断面図、（ロ）は台板と縦杆の連結構造を示す断面図、（ハ）は脚板と間隔保持部材との連結構造を示す断面図。
【考案を実施するための形態】
【０００９】
以下、本考案に係る行灯の最良の実施の形態を図面に従って説明する。図１は本考案に係る行灯の斜視図、図２は同火袋を除いた分解斜視図である。行灯Ａは、構成部材としての水平に配置される台板１と、該台板１の下面に連結される構成部材としての３本の脚板２，２，２と、前記台板１の上面に連結して立設される２本の平行な縦杆３，３と、該縦杆３，３に嵌着され吊り下げられる火袋４と縦杆３，３の上端部に取着される雲手５と、から概ね構成されている。これら台板１、脚板２、縦杆３、雲手５はいずれも木製である。
【００１０】
図３（イ）（ロ）に示すように前記台板１は円形板状に形成され、その外周縁部に前記火袋４の下輪４ｂが嵌る環状段部６が周設されている。そして、台板１の下面１ｂでありその中心から放射線方向に沿って等間隔距離に位置しかつ外周方向に沿って３等分する位置に、それぞれ脚板２の上端を連結するための取付用穴７が刳り抜かれ凹設されている。これら３個の取付用穴７は、角穴であってその内周面である底面７ａにドーナツ板状の磁石８がネジ９により固着される。
【００１１】
また、台板１の上面１ａには、前記いずれの取付用穴７，７，７も外した位置で中心を挟んだ両側に各縦杆３の下端を連結するための取付用穴１０，１０が刳り抜かれ凹設されている。これら取付用穴１０，１０も角穴であって、その底面１０ａにドーナッツ板状の磁石１１がネジ９により固着されている。台板１の上面１ａの一側には、不図示の発光体であるランプを挿通して取り付けるためのランプ取付孔１２が貫設されている。
【００１２】
前記各脚板２は、いずれも同じ形状であって弓状に湾曲して形成される。そして、図４（イ）に示すように各脚板２の上端面２ａの一側に、前記台板１の下面１ｂに設けられた各取付用穴７より一回り小さい角柱状の嵌入突起１３が突設され、該嵌入突起１３の先端面である上端面１３ａにドーナッツ板状の磁石１４がネジ９により固着される。前記台板１の下面に設けられた各取付用穴７内の磁石８と脚板２の嵌入突起１３の上端の磁石１４とは、該各取付用穴７に嵌入突起１３を挿入したとき互いに吸着するよう対向する面が異極となるように設定されている。
【００１３】
一方、前記各縦杆３は、所定の長さを有すると共に図４（ロ）に示すように下端面３ａに前記台板１の上面１ａに設けられた各取付用穴１０より一回り小さい角柱状の嵌入突起１５が突設され、該嵌入突起１５の先端面である下端面１５ａにドーナッツ板状の磁石１６がネジ９により固着される。この場合も、前記台板１の上面１ａに設けられた取付用穴１０内の磁石１１と縦杆３の嵌入突起１５の下端の磁石１６とは、該取付用穴１０に嵌入突起１５を挿入したとき互いに吸着するよう対向する面が異極となるように設定されている。各縦杆３の上端部の一側には、雲手５を取着するための保持孔１７が刳り抜かれ凹設されている。また、該保持孔１７の少し下方に、火袋４の上輪４ａから伸びる紐１８を掛け止めるためのフック１９が取り付けられている。
【００１４】
前記等間隔に配置される３本の脚板２，２，２の内側のほぼ中間高さ位置に、これら脚板２を所定の間隔離しかつしっかりと保持するための構成部材としての間隔保持部材２０が配置される。該間隔保持部材２０は、３本の湾曲した湾曲棒２１，２１，２１を平面ほぼ三角形状に組み付けて構成され、図４（ハ）に示すように各湾曲棒２１の先端面である外端面２１ａにドーナツ板状の磁石２２がネジ９により固着される。これに対応する各脚板２の内側面２ｂに取付用穴としての窪み２３が刳り抜かれて凹設され、該窪み２３にドーナツ板状の磁石２４がネジ９により固着される。この場合も、前記間隔保持部材２０の各湾曲棒２１に設けられた磁石２２と各脚板２の内側面２ｂに設けられた磁石２４とは、対向して当接する面が互いに異極となり吸着するように設定される。
【００１５】
前記台板１の下面１ｂと脚板２の上端面２ａとは僅かに隙間を残した位置でそれら両磁石８，１４が当接するように寸法が設定され、台板１の下面１ｂに設けられた取付用穴７へ脚板２の嵌入突起１３を挿入する際に、先に両磁石８，１４が衝突してカチッという音がなる。同様に、台板１の上面１ａと縦杆３の下端面３ａとが僅かに隙間を残した位置でそれら両磁石１１，１６が当接するように寸法が設定され、台板１の上面１ａに設けられた取付用穴１０へ縦杆３の嵌入突起１５を挿入させる際にも、先に両磁石１１，１６が衝突してカチッという音がなる。このように音が鳴ることにより、脚板２の嵌入突起１３や縦杆３の嵌入突起１５が台板１の下面１ｂの取付用穴７や上面１ａの取付用穴１０にしっかり入っていることが確認でき、都合がよい。
【００１６】
本考案に係る行灯Ａは上記構成からなり、次にその組立・分解の手順を説明する。まず、図４（イ）に示すように台板１の下面の各取付用穴７に、各脚板２の上端の嵌入突起１３を挿入する。次に、図４（ハ）に示すようにこれら脚板２，２，２の内側に間隔保持部材２０を配置すると共に、該間隔保持部材２０における各湾曲棒２１の外側端の磁石２２を各脚板２における内側面２ｂに埋め込まれた各磁石２４に当接して吸着させる。これにより、間隔保持部材２０が介在し各脚板２がしっかりと固定される。
【００１７】
また、台板１のランプ取付孔１２に不図示のランプを取着すると共に、図４（ロ）に示すように台板１の上面１ａにおける各取付用穴１０に嵌入突起１５を挿入し各縦杆３を立設する。更に、図４（ロ）に示すように両縦杆３，３に上から火袋４を被せ、該火袋４の下輪４ｂを台板１の環状段部６に嵌める。更にまた、火袋４の上輪４ａに設けられた紐１８をフック１９，１９に掛け止める。そして、最後に両縦杆３，３の上端部に雲手５を取着する。このようにして行灯Ａが使用に供される。
【００１８】
儀式が終了して行灯Ａをしまうときは、雲手５、火袋４を取り外し、また、台板１の上面１ａから両縦杆３，３を抜き、更に、３本の脚板２の内側面２ｂに配設された間隔保持部材２０を外した後に台板１の下面１ｂから各脚板２を抜く。これにより、台板１、脚板２、縦杆３といった各構成部材が分解される。
【００１９】
このように、本考案に係る行灯では、水平に配置される台板１、該台板１の下面１ｂに連結される脚板２、台板１の上面１ａに立設される縦杆３などの構成部材であって、一方の構成部材に取付用穴を凹設すると共に他方の構成部材に該取付用穴に挿入する嵌入突起を設け、取付用穴の底面と嵌入突起の先端面とのいずれか一方に磁石を固着し、他方には該磁石と吸着する磁石を固着し、取付用穴に嵌入突起を挿入して磁石と磁石を吸着させて互いの構成部材を連結固定するようにした。よって、これら取り付け・取り外しがワンタッチ式に行えネジ止めといった面倒な作業が不要となり、行灯の組立・分解作業が簡単となる。
【符号の説明】
【００２０】
１          構成部材（台板）
２          構成部材（脚板）
３          構成部材（縦杆）
７          取付用穴
７ａ        底面
８          磁石
１０        取付用穴
１０ａ      底面
１１        磁石
１３        嵌入突起
１３ａ      先端面（上端面）
１４        磁石
１５        嵌入突起
１５ａ      先端面（下端面）
１６        磁石
２０        構成部材（間隔保持部材）
２１        湾曲棒
２１ａ      先端面（外端面）
２２        磁石
２３        取付用穴（窪み）
２４        磁石
【図１】
0003161272.tif 000003
【図２】
0003161272.tif 000004
【図３】
0003161272.tif 000005
【図４】
0003161272.tif 000006
【手続補正書】
【提出日】平成22年5月26日(2010.5.26)
【手続補正１】
【補正対象書類名】実用新案登録請求の範囲
【補正対象項目名】全文
【補正方法】変更
【補正の内容】
【実用新案登録請求の範囲】
【請求項１】
水平に配置される台板、前記台板の下面に連結される脚板、前記台板の上面に立設される縦杆などの構成部材がそれぞれ着脱自在に設けられるようにした行灯であって、
連結される前記構成部材のうち一方の構成部材に取付用穴を凹設すると共に他方の構成部材に該取付用穴に挿入する嵌入突起を設け、前記取付用穴の底面と前記嵌入突起の先端面とにそれぞれ互いに吸着する磁石を固着し、前記取付用穴に前記嵌入突起を挿入することにより前記両磁石が吸着され互いの構成部材が連結されるようにしたことを特徴とする行灯。
【手続補正２】
【補正対象書類名】明細書
【補正対象項目名】０００６
【補正方法】変更
【補正の内容】
【０００６】
かかる目的を達成するため、本考案に係る行灯は、水平に配置される台板、前記台板の下面に連結される脚板、前記台板の上面に立設される縦杆などの構成部材がそれぞれ着脱自在に設けられるようにした行灯であって、連結される前記構成部材のうち一方の構成部材に取付用穴を凹設すると共に他方の構成部材に該取付用穴に挿入する嵌入突起を設け、前記取付用穴の底面と前記嵌入突起の先端面とにそれぞれ互いに吸着する磁石を固着し、前記取付用穴に前記嵌入突起を挿入することにより前記両磁石が吸着され互いの構成部材が連結されるようにしたことを特徴とする。